(57)【要約】【課題】外側取付け座の取付け柱に螺合する固着具の緩み防止を長年に亘って良好に維持すること。【解決手段】扉の外壁面に複数の取付け柱を差し込むことができる外側取付け座と、一方、前記取付け柱と対応する固着具用の貫通小孔を有すると共に前記扉の内壁面に対向当接される内側取付け座と、扉の内壁面側から貫通小孔に差し込まれると共に前記取付け柱に螺合して外側取付け座を呼び付ける複数本の固着具とから成る扉ハンドル用内外の取付け座の連結構造に於いて、取付け柱をパイプ状に形成し、このパイプ状のメネジ孔に連通するように外側取付け座のフランジ部に押しねじ体用の開口を形成し、該開口から押しねじ体を外側取付け座の取付け柱の前記メネジ孔へとその挿入先端部が固着具の挿入端部に強く押圧するまでねじ込み、該固着具に前記メネジ孔の螺合面に対して摩擦抵抗を与えたこと。【選択図】図１
2011157695.tif 000002
【特許請求の範囲】
【請求項１】
扉の外壁面に複数の取付け柱を差し込むことができる外側取付け座と、一方、前記取付け柱と対応する固着具用の貫通小孔を有すると共に前記扉の内壁面に対向当接される内側取付け座と、扉の内壁面側から前記貫通小孔に差し込まれると共に前記取付け柱に螺合して外側取付け座を呼び付ける複数本の前記固着具とから成る扉ハンドル用内外の取付け座の連結構造に於いて、前記取付け柱をパイプ状に形成し、このパイプ状のメネジ孔に連通するように外側取付け座のフランジ部に押しねじ体用の開口を形成し、該開口から前記押しねじ体を外側取付け座の取付け柱の前記メネジ孔へとその挿入先端部が前記固着具の挿入端部に強く押圧するまでねじ込み、該固着具に前記メネジ孔の螺合面に対して摩擦抵抗を与えたことを特徴とする扉ハンドル用内外の取付け座の連結構造。
【請求項２】
請求項１に於いて、押しねじ体１５は、頭部を有しないイモネジであり、該イモネジは取付け柱６のメネジ孔１３の中に完全に捩じ込まれることを特徴とする扉ハンドル用内外の取付け座の連結構造。
【請求項３】
請求項１に於いて、外側取付け座４Ａの取付け柱６Ａは、そのフランジ部５Ａに基端部が連設する筒状大径部２１と、該筒状大径部の先端部に連設する筒状小径部２２とを有し、これらの筒状大径部・筒状小部２１、２２の各内周面にはメネジ２１ａ、１１ａがそれぞれ形成され、外側取付け座４Ａの開口１４Ａから横向き嵌合凹所２５を有する押しねじ体１５Ａを前記筒状大径部２１のメネジ２１ａに捩じ込むと、該筒状大径部２１内に突出している固着具１０Ａの挿入先端部１０ａの先端面に前記嵌合凹所２５の奥の内壁面２５ａが強く押圧することを特徴とする扉ハンドル用内外の取付け座の連結構造。
【発明の詳細な説明】
【技術分野】
【０００１】
本発明は、建具としての扉ハンドル用内外の取付け座の連結構造に関する。
【背景技術】
【０００２】
実用新案出願公告第２０００４号の第１図には、メネジ孔を有する取付け片（固定部材）３に挿入先端面が弧状の大径押螺子４と、該大径押螺子４の後端面に連設形成されていると共に、弧状外端部から前記後端面まで上下の周壁部が水平方向にそれぞれ切欠された板片状の切残部５とを有する螺合本体と、この螺合本体の前記板片状の切残部５に外嵌合すると共に、前記取付け片（固定部材）３のメネジ孔に螺合するオネジを有する筒状ロックナット７とから成る押螺子弛緩防止装置が開示されている。この装置の産業上の利用可能性は不明である。
【０００３】
また、特許文献２には、固着具の緩み防止を長年に亘って良好に維持することができると共に、製造コストの削減を図るために、内外の取付け座と、内外の取付け座を一体的に連結する取付け柱と、少なくとも一方側の取付け座を介して取付け柱に差し込まれる金属製固着具とから成る建具用の内外の取付け座の連結構造に於いて、取付け柱は、少なくとも一端部にネジ無し孔を有する熱可塑性エラストマーで成形された成形品であり、内外の取付け座の連結時、金属製固着具を前記ネジ無し孔にねじ込むと、該ネジ無し孔を形成している内周面に該金属製固着具に螺合するメネジが形成される事項が開示されている。
【先行技術文献】
【特許文献】
【０００４】
【特許文献１】実用新案出願公告第２０００４号の第１図
【特許文献２】特開２００９−２２８２２９号公報
【発明の概要】
【発明が解決しようとする課題】
【０００５】
本願発明の所期の目的は、外側取付け座の取付け柱に螺合する固着具の緩み防止を長年に亘って良好に維持することである。第２の目的は、外側取付け座に新たな部位を成形し或いは新たな部材を付加する必要がない或いは特許文献２に記載のような成形品を用いないで、製造コストに負担がかからないようにすることである。
【課題を解決するための手段】
【０００６】
本発明の扉ハンドル用内外の取付け座の連結構造は、扉の外壁面に複数の取付け柱を差し込むことができる外側取付け座と、一方、前記取付け柱と対応する固着具用の貫通小孔を有すると共に前記扉の内壁面に対向当接される内側取付け座と、扉の内壁面側から前記貫通小孔に差し込まれると共に前記取付け柱に螺合して外側取付け座を呼び付ける複数本の前記固着具とから成る扉ハンドル用内外の取付け座の連結構造に於いて、前記取付け柱をパイプ状に形成し、このパイプ状のメネジ孔に連通するように外側取付け座のフランジ部に押しねじ体用の開口を形成し、該開口から前記押しねじ体を外側取付け座の取付け柱の前記メネジ孔へとその挿入先端部が前記固着具の挿入端部に強く押圧するまでねじ込み、該固着具に前記メネジ孔の螺合面に対して摩擦抵抗を与えたことを特徴とする。
【０００７】
上記構成に於いて、押しねじ体１５は、頭部を有しないイモネジであり、該イモネジは取付け柱６のメネジ孔１３の中に完全に捩じ込まれることを特徴とする。また、外側取付け座４Ａの取付け柱６Ａは、そのフランジ部５Ａに基端部が連設する筒状大径部２１と、該筒状大径部の先端部に連設する筒状小径部２２とを有し、これらの筒状大径部・筒状小部２１、２２の各内周面にはメネジ２１ａ、１１ａがそれぞれ形成され、外側取付け座４Ａの開口１４Ａから横向き嵌合凹所２５を有する押しねじ体１５Ａを前記筒状大径部２１のメネジ２１ａに捩じ込むと、該筒状大径部２１内に突出している固着具１０Ａの挿入先端部１０ａの先端面に前記嵌合凹所２５の奥の内壁面２５ａが強く押圧することを特徴とする。
【発明の効果】
【０００８】
（ａ）内側取付け座から、外側取付け座の取付け柱に螺合する固着具（頭を有する取付けネジ）の挿入先端面に対して、外側取付け座に設けられた開口から捩じ込んだ押しねじ体の先端部で押圧するので、扉ハンドル用内外の取付け座の連結構造の緩みを簡単かつ確実に防止することができる。
（ｂ）外側取付け座４のフランジ部５に、その取付け柱６のメネジ孔１３に連通する押しねじ体用の開口１４を形成するだけで良いので、従来の外側取付け座４の基本的な形態を変更する必要がないと共に、新たな部位を成形し或いは新たな部材を付加する必要がない。したがって、外側取付け座４以外の座を構成する部品が増えないので、製造コストの面での負担がないか或いは少ない。付言すると、非常に安価な押しねじ体１５を外側取付け座４の開口１４から該外側取付け座の取付け柱のメネジ孔１３へとその挿入先端部が内側取付け座側の固着具１０の挿入端部に強く押圧するまでねじ込むだけで良いので、殆ど製造コストの面でコスト高になるというような問題点は発生しない。
（ｃ）固着具１０が頭部を有しないイモネジ１５の場合には、該イモネジは取付け柱のメネジ孔１３の中に完全に捩じ込まれるので、座カバー１２を外側取付け座４に係着或いは固定する場合に全く問題が生じないし、また、外部からの不正行為に対しても、イモネジ１５を容易に抜き取ることができないにすることも可能である。
（ｄ）請求項３に記載の発明は、第１実施例よりも製造コストがかかるものの、第１実施例と同様に所期の目的を達成することができる。
【図面の簡単な説明】
【０００９】
【図１】第１実施例の概略断面説明図。
【図２】分解斜視図。
【図３】まず、押しねじ体を開口から捩じ込んだ概略説明図。
【図４】押しねじ体をその挿入先端部が固着具の挿入端部に当接するまで捩じ込んだ概略説明図。
【図５】図４に於いて、さらに押しねじ体を強く捩じ込み、固着具に摩擦抵抗を与えた概略説明図。
【図６】第２実施例の概略断面説明図。
【図７】要部の説明図。
【図８】図３と同様の概略説明図。
【図９】図５と同様の概略説明図。
【発明を実施するための最良の形態】
【００１０】
（１）環境部材
図１に於いて、１は建物の扉、１ａは扉の外壁面、１ｂは扉の内壁面、２は扉の外ハンドル（軸部と不番の角軸のみ示す）、一方、３は扉の内ハンドル（軸部のみ示す）、４はフランジ部５の当接面５ａから水平方向に延在する複数本の取付け柱６、６を有する外側取付け座、一方、７はフランジ部８に前記複数本の取付け座６、６に対応する固着具用の貫通小孔９、９を有すると共に、外側取付け座４に対向するように扉１の内壁面１ｂに当接される内側取付け座、１０は扉の内壁面１ｂ（室内）側から前記貫通小孔９、９にそれぞれ差し込まれると共に、外側取付け座４の取付け柱６、６の内周壁のメネジ１１、１１にそれぞれ螺合する複数の固着具（頭部を有する取付けネジ）、そして１２、１２は内外の取付け座４、７にそれぞれ係着する座カバーである。
【００１１】
（２）本発明の前提要件
例えば特許文献１や周知事項との関係では、本発明の前提要件は、扉１の外壁面１ａに複数の取付け柱６、６を差し込むことができる外側取付け座４と、一方、前記取付け柱６、６と対応する固着具用の貫通小孔９、９を有すると共に前記扉１の内壁面１ｂに当接される内側取付け座７と、扉１の内壁面１ｂ側から前記貫通小孔９、９に差し込まれると共に前記取付け柱６、６に螺合して外側取付け座４を内側取付け座７側に呼び付ける複数本の前記固着具１０、１０とから成る。内外の座カバー１２、１２は、望ましくは内外の取付け座４、７にそれぞれ係着するが、本発明の本質的事項ではない。
【００１２】
（３）本質的事項
本発明は、前記（２）の要件を前提として、次の事項を加味した点に特徴がある。すなわち、（ａ）取付け柱６をパイプ状に形成した点、（ｂ）フランジ部５の当接面５ａに連設する基端部位６ａの内周面から挿入先端部位６ｂの内周面に至るまで一連にメネジ１１を有する貫通状のメネジ孔１３形成した点、（ｃ）パイプ状取付け柱６の貫通状メネジ孔１３に連通するように外側取付け座４のフランジ部５に押しねじ体のネジなし孔或いはネジ有り孔の開口１４を形成した点、（ｄ）開口１４から押しねじ体１５を外側取付け座４の取付け柱６のメネジ孔１３へとその挿入先端部１５ａが固着具１０の挿入端部１０ａに強く押圧するまでねじ込み、該固着具１０にメネジ１１の螺合面１１ａに対して摩擦抵抗を与えた点、である。
【００１３】
付言すると、本発明の本質的事項は、「取付け柱６を内周面にメネジ１１を有するパイプ状に形成し、このパイプ状のメネジ孔１３に連通するように外側取付け座４のフランジ部５にロック機能を有する押しねじ体１５用開口１４を形成し、該開口１４から前記押しねじ体１５を外側取付け座４の取付け柱６の前記メネジ孔１３へとその挿入先端部１５ａが内側取付け座７の貫通小孔９を貫通した固着具１０の挿入端部１０ａに押圧するまでねじ込み、該固着具１０に前記メネジ１１の螺合面１１ａに対して摩擦抵抗（外方向への圧接力）を与えたこと」である。
【００１４】
そして、前記開口１４は、望ましくはメネジ１１と同一のメネジ１４ａ（ネジ有りの開口）であり、また、前記押しねじ体１５は、例えば頭部を有しないイモネジであり、図２で示すようにその外周面に前記開口１４のメネジ１４ａ及び取付け柱６のメネジ１１の両方に螺合することが可能なオネジ１６を有すると共に、その先端部１５ｂに操作具１７の一端部１７ａが嵌合する係合溝（例えばマイナス、プラス、六角等の溝）１８を有している。
【００１５】
（４）締め付け
図３は、固着具の一例としての頭部を有する取付けネジ１０を扉１の内壁面１ａ側から貫通小孔９に差し込み、かつ、外側取付け座４の取付け柱６のメネジ１１に螺合して該外側取付け座４を内側取付け座７側へ呼び付けた状態、つまり、内外の取付け座４、７を、連結手段６、１０を介して一体的に結合した状態に於いて、操作具１７を操作しながら頭部を有しないイモネジ１５を開口１４から捩じ込み、さらに、該イモネジ１５を取付け柱６のメネジ１１内まで完全に捩じ込んだ状態の概略説明図である。
【００１６】
本実施例では、取付け柱６はメネジ孔１３を有する所定長の長尺状パイフなので、図３で示すようにイモネジ１５を多少捩じ込んだ状態では、その先端部１５ａは頭部を有する取付けネジ１０の挿入先端部１０ａの先端面にはまだ当接しない。したがって、この段階では、イモネジ１５はロック機能（固着具１０の弛緩防止機能）を発揮しない。
【００１７】
そこで、図４は、さらに、操作具１７を操作しながら頭部を有しないイモネジ１５を取付け柱６のメネジ孔１３の奥へと捩じ込み、その先端部１５ａが取付けネジ１０の挿入先端部１０ａの先端面に当接するまで捩じ込む。そして、イモネジ１５の先端部１５ａが取付けネジ１０の挿入先端部１０ａの先端面に当接したならば、図５で示すように、イモネジ１５を強く締め付けると、取付けネジ（固着具）１０に前記メネジ１１の螺合面１１ａに対して外方向に摩擦抵抗を与えることができる。
【実施例】
【００１８】
図６乃至図９は、本発明の第２実施例である。この第２実施例と前述した第１実施例と同一の部分には、同一或いは同様の符号を付して重複する説明を省略する。第２実施例に於いて、前記第１実施例と主に異なる点は、フランジ部５Ａの開口１４Ａ、外側取付け座４Ａの取付け柱６Ａの構造、該取付け柱６Ａに捩じ込まれる押しねじ体１５Ａのそれぞれである。
【００１９】
すなわち、第２実施例では、（ア）前記開口１４Ａの直径は、第１実施例の開口１４のそれよりも大きく形成されている点、（イ）この取付け柱６Ａは、そのフランジ部５Ａに基端部が連設する筒状大径部２１と、該筒状大径部２１の先端部に連設する筒状小径部２２とから成り、前記筒状大径部２１の直径は開口１４Ａのそれと同一である点、（ウ）筒状大径部２１と筒状小径部２２の各内周面にはメネジ２１ａ、１１ａがそれぞれ形成されている点、（エ）固着具１０Ａの長さは、第１実施例の固着具１０よりも長く、扉１の内壁面１ａ側から貫通小孔９に差し込み、かつ、外側取付け座４の取付け柱６のメネジ１１に螺合して該外側取付け座４を内側取付け座７側へ呼び付けた状態に於いて、図６で示すようにその挿入先端部１０ａが前記筒状小径部２２のメネジ孔１３から筒状大径部２１内へと所要量突出する点、（オ）押しねじ体１５Ａは、少なくとも筒状大径部２１のメネジ２１ａに螺合すると共に、その先端部或いは先端部側に形成した横向き嵌合凹所２５の奥の垂直内壁面２５ａが固着具１０Ａのその挿入先端部１０ａの先端面に強く押圧する点である。なお、取付け柱６Ａの筒状小径部２２のメネジ１１ａは第１実施例と同一である。また、押しねじ体１５Ａは外端部の端面に操作具（例えばドライバー）１７用の係合溝１８を有する点も同様である。さらに、「作用／締め付け」の各図で示すように第１実施例と同一である。
【産業上の利用可能性】
【００２０】
本発明は、建具や錠前の分野で利用される。
【符号の説明】
【００２１】
１…扉、１ａ…外壁面、１ｂ…内壁面、２…外ハンドル、３…内ハンドル、４、４Ａ…外側取付け座、５、５Ａ…フランジ部、６、６Ａ…取付け柱（連結手段）、６ａ…基端部位、６ｂ…挿入先端部位、７…内側取付け座、８…フランジ部、９…貫通小孔、１０、１０Ａ…固着具（連結手段）、１０ａ…挿入端部、１１…メネジ、１１ａ…螺合面、１２…座カバー、１３…メネジ孔、１４、１４Ａ…開口、１４ａ…メネジ、１５、１５Ａ…押しねじ体、１７…操作具、１８…係合溝、２１…筒状大径部、２１ａ…メネジ、２２…筒状小径部、２５…横向き嵌合凹所、２５ａ…嵌合凹所の内壁面。
【図１】
2011157695.tif 000003
【図２】
2011157695.tif 000004
【図３】
2011157695.tif 000005
【図４】
2011157695.tif 000006
【図５】
2011157695.tif 000007
【図６】
2011157695.tif 000008
【図７】
2011157695.tif 000009
【図８】
2011157695.tif 000010
【図９】
2011157695.tif 000011